(57)【特許請求の範囲】
【請求項１】
レンズを上方から挿入するための開口部と、接地面を有する底面部と、前記開口部と底面部との間に設けられており前記底面部に向かって内径が漸減するテーパ面を有するレンズ受け部と、前記レンズ受け部の一部を前記底面部まで凹まして設けた複数の凹部と、を備えたレンズ容器をレンズ収納用の第１のレンズ容器として用いるレンズ収納容器において、
前記第１のレンズ容器に対して前記開口部に入り込む小サイズでかつ相似形状になっている第２のレンズ容器を蓋として利用し、
前記第１及び第２のレンズ容器の開口部の周りにつば部を突出して設け、
前記第２のレンズ容器のつば部の先端が前記第１のレンズ容器の内壁に当接してレンズを収納する空間を略密閉することを特徴とするレンズ収納容器。
【請求項２】
前記第１及び第２のレンズ容器を固定具で固定したときに、前記第２のレンズ容器のつば部の一部が前記第１のレンズ容器に収納したレンズを押さえ付けることを特徴とする請求項１記載のレンズ収納容器。
【発明の詳細な説明】
【技術分野】
【０００１】
本発明は、単体のレンズを収納するレンズ容器を用いるレンズ収納容器に関するものである。
【背景技術】
【０００２】
単体のガラスレンズは、ガラスの溶融やプレス成型を経て研磨やコーティング等を施して光学部品として仕上げた後にいったん保管され、鏡筒等に組み込む組立工場に送られる。この保管や輸送時に、レンズ完成品を安全に扱うためにレンズ容器が用いられる。
【０００３】
レンズ容器としては、円盤状体になっているレンズ１０を収納する成形トレイ１１が知られている（特許文献１）。この成形トレイ１１は、ポリスチレン（ＰＳ）などで形成されている。成形トレイ１１には、レンズ１０を収容するレンズ収容部１１ａと、このレンズ収容部１１ａの奥にさらに設けられた奥部１１ｂとを有し、奥部１１ｂが設けられていることによってレンズ１０の光学面１０ａが成形トレイ１１の内面に接触しないように構成されている。また、レンズ収容部１１ａの開口縁には、指でレンズ１０の外周面を把持した状態のままレンズ１０を出し入れすることができるように、凹部１１ｃを設けてある。このレンズ収容部１１ａは断面垂直面になっており、また、奥部１１ｂは、床に接地する円形状の底面と、底面に向かって内径が漸減するテーパ面とを有する断面形状になっている。
【特許文献１】特開２００４−２５００１７号公報（明細書段落［０００３］、図７）
【発明の開示】
【発明が解決しようとする課題】
【０００４】
ところで、前述した成形トレイ１１は、奥部１１ｂが底面に向かって内径が漸減するテーパ面になっているため、底面の接地面積が小さい。これでは、輸送や搬送時の振動や揺れによって、成形トレイ１１が傾いて不安定な姿勢になるおそれがある。特に、大径で重量物のレンズを収納する場合には、成形トレイ１１のフラツキが生じ易い。
【０００５】
また、単体レンズを収納する容器は、レンズの形状に合わせた専用の容器として使用される。このため、レンズの大きさなどに合わせて、ほぼ、レンズの種類毎に個別の容器を作る必要がある。
【０００６】
本発明は以上の点を鑑みてなされたものであって、輸送や搬送時の振動や揺れによって、傾いて不安定な姿勢になることを防止し、また、サイズの異なるレンズでも保管や輸送等の取り扱いを簡便に行うことができるレンズ収納容器を提供することにある。
【課題を解決するための手段】
【０００７】
本発明のレンズ収納容器では、レンズを上方から挿入するための開口部と、接地面を有する底面部と、前記開口部と底面部との間に設けられており前記底面部に向かって内径が漸減するテーパ面を有するレンズ受け部と、前記レンズ受け部の一部を前記底面部まで凹まして設けた複数の凹部と、を備えたレンズ容器をレンズ収納用の第１のレンズ容器として用い、前記第１のレンズ容器に対して前記開口部に入り込む小サイズでかつ相似形状になっている第２のレンズ容器を蓋として利用し、前記第１及び第２のレンズ容器の開口部の周りにつば部を突出して設け、前記第２のレンズ容器のつば部の先端が前記第１のレンズ容器の内壁に当接してレンズを収納する空間を略密閉するものである。なお、凹部の外側底面と底面部の底面とを同じ高さ面にしてもよいし、僅かにずれた面にしてもよい。また、第２レンズ容器のつば部の先端を第１レンズ容器の内壁に当接させることで、レンズを収納する空間を密閉することができ、埃が侵入して傷や汚れが付くことを防止することができる。この場合、弾性を有する材料でレンズ容器を作り、つば部を内側に向かって内径が漸減する斜面にするのがつば部の先端が第２レンズ容器の内壁に当接し易いので好適である。
【０００８】
また、第２レンズ容器のつば部の一部で第１レンズ容器に収納したレンズの外周縁を覆うようにするのが好適である。つば部の一部がレンズに接するので、この場合も、弾性を有する材料でレンズ容器を作るのが望ましい。なお、これらをゴムバンドで留めるようにすれば好適である。これによれば、蓋側のつば部がレンズの外周縁（有効光学面外）を押さえ付けるので、レンズのガタツキを防止することができる。
【発明の効果】
【００１０】
本発明のレンズ容器によれば、テーパ面の一部を底面部まで凹まして、指でレンズを把持するための凹部を設けたから、底面部の底面に加えてその周りに凹部の底面が配されることになるため、接地する面積が横に広がり、よって輸送中の振動などで姿勢が不安定になるのを極力防ぐことができる。また、別の発明によれば、相似形状でサイズの小さいレンズ容器を蓋として利用するため、レンズ容器のサイズ毎にわざわざ専用の蓋を作る必要がなく、よって保管や輸送等の取り扱いを簡便にかつローコストで行うことができる。
【発明を実施するための最良の形態】
【００１１】
本発明のレンズ容器には、大径の光学レンズが収納される。この光学レンズは、単体のガラスレンズであり、ガラスの溶融やプレス成型を経て研磨やコーティング等を施して光学部品の完成品として仕上げられている。そこで、保管や輸送時にレンズ面（有効光学面）に傷や汚れが付かないようにレンズ容器に収納される。
【００１２】
レンズ容器１０は、図１ないし図４に示すように、円形の開口部１１と周側壁１２とをもつ有底容器であり、口が広く深さの浅い形状をしている。開口部１１の周りには、外周に向けて突出するつば部１３が形成されている。周側壁１２は、つば部１３から垂直に立ち下がった垂直部１４と、垂直部１４から底面に向けて漸減するテーパ面１５ａをもつレンズ受け部１５とからなる。レンズ受け部１５に繋がる底面部１６は円形状をしており、その外側底面１６ａは接地される部位になる。
【００１３】
テーパ面１５ａには、開口部１１の側から見て十字方向に４つの凹部１７〜２０が設けられている。これら凹部１７〜２０は、外側面が底面部１６の外側底面１６ａと同じ高さになるように凹まして形成されている。これにより、凹部１７〜２０の外側面が、底面部１６から張り出した脚部になる。凹部１７〜２０は、指でレンズを把持するときの指入れ用孔の役目を果たすとともに、外側底面１７ａ〜２０ａが底面部１６の外側底面１６ａと同じ高さ面になっているので、接地する面積が横に広がって姿勢を安定させる役目を果たす。
【００１４】
このレンズ容器１０は、例えば、ポリプロピレン（ＰＰ）やポリスチレン（ＰＳ）等のシートを用いて圧空成形、又は真空成形により一体成形品として作られる。なお、ゴム材料や他のプラスチック材料を用いて射出成形により作ってもよい。また、金型を利用した成形の場合、垂直部１４は、抜き勾配をつけるために僅かに傾斜した面にするのが望ましい。
【００１５】
レンズ容器１０は、図５に示すように、レンズ２１の外周、すなわち有効光学面外をテーパ面１５ａの中腹で支持する。このとき、レンズ２１は、下面が底面部１６の内側底面１６ｂに当接しないように支持される。凹部１７〜２０は、対向する位置に形成されている。これにより、対向する凹部１７〜２０に指を入れれば、レンズ２１の周りを容易に掴むことができる。また、凹部１７〜２０の外側底面１７ａ〜２０ａが底面部１６の外側底面１６ａと略同じ高さ位置になっているので、接地する面積が横に広がるとともに、凹部１７〜２０が対向する位置に設けられているから、レンズ容器１０の姿勢が確実に安定する。なお、凹部１７〜２０としては、４個に限らず、２個以上あればよい。この場合、姿勢を確実に安定するには、テーパ面１５ａの周方向のうちの等分割位置に凹部を設けるのが好適である。
【００１６】
レンズ容器１０は、レンズ２１の形状に応じてサイズが決められる。例えばレンズ２１が両面凸の形状になっている場合、テーパ面１５ａは、レンズ２１の下側凸面が底面部１６の内側底面１６ｂに当接しない傾きに決められる。また、垂直部１４は、レンズ２１の上側凸面が開口部１１から上方に飛び出さない長さに決められる。つまり、レンズ容器１０は、テーパ面１５ａの中腹を通る内径がレンズ２１の外径で、かつテーパ面１５ａの傾きと垂直部１４の長さがレンズ２１の厚みに応じた傾き及び長さでそれぞれ作られており、これらの寸法が決まることで開口部１１の径、及び、つば部１３の外径が決まる。
【００１７】
輸送するときには、レンズ２１が飛び出さないように、蓋が必要になる。蓋としては、一部でレンズ２１の有効光学面外をガタ付かないように押さえる機能が必要になるため、レンズ容器１０のサイズに対応したものを作る必要がある。しかし、蓋をレンズ容器１０のサイズに応じて多数作るのはコストが高くつくことや、蓋と一緒に保管する手間や保管スペースの面などを考慮すると、採用し難い面がある。そこで、本実施形態のレンズ容器１０では、サイズの小さい相似形状のレンズ容器を蓋の代わりに使用する。
【００１８】
図５及び図６に示す実施形態では、レンズ２１を収納するレンズ容器１０を本体部として、また、レンズ容器１０に対して小サイズでかつ相似形状のレンズ容器３０を蓋としてそれぞれ組み合わせてレンズ収納容器３１を構成している。レンズ容器１０，３０のつば部１３は、内側に向かって内径が漸減する斜面になっている。蓋側のレンズ容器３０は、本体側のレンズ容器１０の開口部１１に入り込んで、つば部１３の先端１３ａがレンズ容器３０の内壁のうちのテーパ部１５ａの上部に当接して、レンズ２１を収納する空間を密閉する。これにより、埃などの侵入を防ぐことができる。
【００１９】
輸送するときには、蓋と本体部とを固定することが必要になる。蓋側のレンズ容器３０は、本体部側のレンズ容器１０の開口部１１よりも突出しているので、ゴムバンド等の固定具で固定するのが好適である。この場合、凹部１７〜２０の外周壁がゴムバンドの外れ防止の機能として作用する。
【００２０】
また、ゴムバンドで固定すると、レンズ容器１０，３０が弾性を有する材料で形成されているので、レンズ容器３０のつば部１３の先端１３ａがレンズ容器１０の内壁に強く押し付けられて密閉性が向上するとともに、レンズ容器３０のつば部１３の根元部１３ｂが弾性変形して押し下げられてその根元部１３ｂでレンズ２１の外周縁（有効光学面外）を押し付けるため、レンズのガタツキも確実に防止することができる。
【００２１】
蓋と本体部とのサイズ関係としては、例えば、つば部１３の外径をφ１３９ｍｍ、φ１４９ｍｍ、φ１５９ｍｍ・・・のように１０ｍｍずつ大きくした相似形状のレンズ容器１０を用意しておく。そして、φ１５９ｍｍサイズのレンズ容器１０にレンズ２１を収納する場合にはφ１４９ｍｍサイズのレンズ容器１０を蓋として用い、また、φ１４９ｍｍサイズのレンズ容器１０にレンズ２１を収納する場合にはφ１３９ｍｍサイズのレンズ容器１０を蓋として用いる。このように、レンズの種類に応じてレンズ容器１０の相似形状のものを複数用意してサイズ毎に整理しておくだけで、その中からレンズ２１を収納するためのレンズ容器１０と、蓋に合うサイズのレンズ容器３０とを選ぶだけでよいので、管理が簡便になる。
【００２２】
上記実施形態のレンズ容器１０，３０は、円形状になっているが、本発明ではこれに限らず、多角形にしてもよい。また、凹部１７〜２０の形状も平面視においてコ字状にしているが、Ｖ字状にしてもよい。さらに、収納するレンズ２１としてはガラスレンズに限らす、プラスチックレンズでもよい。さらにまた、レンズの形状は図示したものに限らず、他の形状であってもよい。
【図面の簡単な説明】
【００２３】
【図１】レンズ容器を示す斜視図である。
【図２】レンズ容器を示す正面図である。
【図３】レンズ容器を示す平面図である。
【図４】図３に示したＡ−Ｂ−Ｃ線組み合せ断面図である。
【図５】レンズを収納した状態のレンズ容器を示す断面図である。
【図６】小サイズかつ相似形状のレンズ容器を蓋として用いる実施形態のレンズ収納容器を示す斜視図である。
【図７】図６で説明したレンズ収納容器を示す断面図である。
【符号の説明】
【００２４】
１０，３０  レンズ容器
１１  開口部
１２  周側壁
１３  つば部
１４  垂直部
１５  レンズ受け部
１５ａ  テーパ面
１６  底面部
１７〜２０  凹部
３１  レンズ収納容器
【図１】
0005100237.tif 000002
【図２】
0005100237.tif 000003
【図３】
0005100237.tif 000004
【図４】
0005100237.tif 000005
【図５】
0005100237.tif 000006
【図６】
0005100237.tif 000007
【図７】
0005100237.tif 000008